(57)【要約】【課題】本発明は、電池取り出し装置をコンパクトで且つ軽量にして操作しやすいものを提供することが課題である。【解決手段】有底筒状の乾電池用収納ケース２と、このケースの開口部を閉蓋する蓋部材３と、前記ケースの収納室に収納した複数個の乾電池４を互いに電気的に接続する導電部材とが設けられて成る電池ボックス１において、前記ケースの底部から起立された支持部７で前記乾電池４の収納方向に沿って摺動自在にして支持されるとともに、前記収納室２ｂに収納された乾電池４の下面に係合して当該乾電池を上に持ち上げる取出し突起が棒状の本体部における下部に設けられて成る乾電池取出し部材１１が設けられているものである。【選択図】図１
2008293874.tif 000002
【特許請求の範囲】
【請求項１】
有底筒状の乾電池用収納ケースと、このケースの開口部を閉蓋する蓋部材と、前記ケースの収納室に収納した複数個の乾電池を互いに電気的に接続する導電部材とが設けられて成る電池ボックスにおいて、
前記ケースの底部から起立された支持部で前記乾電池の収納方向に沿って摺動自在にして支持されるとともに、前記収納室に収納された乾電池の下面に係合して当該乾電池を上に持ち上げる取出し突起が棒状の本体部における下部に設けられて成る乾電池取出し部材が設けられていること、
を特徴とする電池ボックス。
【請求項２】
乾電池取出し部材の本体部でその側部から突出し収納室に収納された乾電池の側壁に当接して押圧し、前記乾電池のガタ止め作用する弾性片が突設されていること、
を特徴とする請求項１に記載の電池ボックス。
【請求項３】
ケースの底に起立させた支持部には、乾電池取出し部材の前記ケースからの抜け止めとなる係合部が設けられ、前記乾電池取出し部材の下部には、前記係合部に係合する抜け止め用の係止部が設けられていること、
を特徴とする請求項１または２に記載の電池ボックス。
【請求項４】
支持部は、その本体部の一部が、収納室に収納された乾電池の仕切りとなる隔壁と一体に連なって形成されていること、
を特徴とする請求項１乃至３のいずれかに記載の電池ボックス。
【請求項５】
乾電池取出し部材の上部のツマミ部は、外壁面が内側に曲面形成された凹壁によって構成されていること、
を特徴とする請求項１乃至４のいずれかに記載の電池ボックス。
【発明の詳細な説明】
【技術分野】
【０００１】
本発明は、例えば、工業用の機器をバックアップするもので乾電池等を使用する電池ボックスにおいて、その乾電池等の取り出しを容易にする手段を備えた電池ボックスに関するものである。
【背景技術】
【０００２】
従来、スペースを取らずコンパクトにするために乾電池等を縦型に収納して出し入れする電池ボックスがある。この電池ボックスにおいては、当該縦型にして乾電池の取り出しを容易にすることが課題であった。そこで、例えば、図１０に示すように、一端に開口部２１ａが設けられ内部に電池２２を所定の姿勢で収容する為の室、および、前記電池２２に接続するための電極を有するケース２１と、前記ケース２１の前記開口部２１ａに押入されて前記開口を封止する蓋２３と、前記蓋２３の裏面に設けられ、前記蓋２３を前記ケース２１に押入したとき、前記電池２２を磁気吸着する磁石２４とを備えた電池ボックス２０が知られている（特許文献１参照）。
【特許文献１】特開２００１−１７６４７６号公報
【発明の開示】
【発明が解決しようとする課題】
【０００３】
しかし、従来の電池ボックスでは、磁石を蓋部材に取り付けたので、蓋部材の重量が重くなり、コストも高価になる。また、蓋部材の方に電池取り出し手段を設けたので、この蓋部材に複数個の乾電池が一体になって出てくることになり、極めて重くなって取り出しにくいものとなる。電池取り出し手段は、蓋部材の方ではなく、乾電池を収納するケース側に設けてあるのが望ましいものである。本発明に係る電池ボックスは、このような課題を解決するために提案されたものである。
【課題を解決するための手段】
【０００４】
本発明に係る電池ボックスの上記課題を解決して目的を達成するための要旨は、有底筒状の乾電池用収納ケースと、このケースの開口部を閉蓋する蓋部材と、前記ケースの収納室に収納した複数個の乾電池を互いに電気的に接続する導電部材とが設けられて成る電池ボックスにおいて、前記ケースの底部から起立された支持部で前記乾電池の収納方向に沿って摺動自在にして支持されるとともに、前記収納室に収納された乾電池の下面に係合して当該乾電池を上に持ち上げる取出し突起が棒状の本体部における下部に設けられて成る乾電池取出し部材が設けられていることである。
【０００５】
また、前記乾電池取出し部材の本体部でその側部から突出し収納室に収納された乾電池の側壁に当接して押圧し、前記乾電池のガタ止め作用する弾性片が突設されていること、；    
前記ケースの底に起立させた支持部には、乾電池取出し部材の前記ケースからの抜け止めとなる係合部が設けられ、前記乾電池取出し部材の下部には、前記係合部に係合する抜け止め用の係止部が設けられていること、；
前記支持部は、その本体部の一部が、収納室に収納された乾電池の仕切りとなる隔壁と一体に連なって形成されていること、；
前記乾電池取出し部材の上部のツマミ部は、外壁面が内側に曲面形成された凹壁によって構成されていること、；
を含むものである。
【発明の効果】
【０００６】
本発明の電池ボックスによれば、ケースの底部から起立された支持部で前記乾電池の収納方向に沿って摺動自在にして支持されるとともに、前記収納室に収納された乾電池の下面に係合して当該乾電池を上に持ち上げる取出し突起が棒状の本体部における下部に設けられて成る乾電池取出し部材が設けられているので、当該乾電池取出し部材を摘んで引き上げることで、収納室の乾電池を底の方から持ち上げることができる。その後は、持ち上げられた乾電池を空いている方の手で取り出すものである。このように、乾電池を簡易に取り出すことができ、前記乾電池取出し部材は合成樹脂製の軽量な部材であるので、重量がかさばらず、また、円筒形の乾電池の隙間に入る大きさにして形成してあるので、ケースの容積が増えることもない。
【０００７】
前記乾電池取出し部材の本体部でその側部から突出し収納室に収納された乾電池の側壁に当接して押圧し、前記乾電池のガタ止め作用する弾性片が突設されているので、ケースの収納室の乾電池を収納した状態において、乾電池がケース内でガタガタして動くことが無い。
【０００８】
ケースの底に起立させた支持部には、乾電池取出し部材の前記ケースからの抜け止めとなる係合部が設けられ、前記乾電池取出し部材の下部には、前記係合部に係合する抜け止め用の係止部が設けられているので、ケースから不用意に乾電池取出し部材が抜け出し落下することもない。
【０００９】
前記支持部は、その本体部の一部が、収納室に収納された乾電池の仕切りとなる隔壁と一体に連なって形成されて兼用させることで、狭い収納室の空間内において、複数個の乾電池の隙間に、ケースの体積を増やすことなく前記乾電池取出し部材をコンパクトに納めることができる。
【００１０】
乾電池取出し部材の上部のツマミ部は、外壁面が内側に曲面形成された凹壁によって構成されているので、指を差し入れる空間部が広がり、指で容易に掴むことができるようになる。
【発明を実施するための最良の形態】
【００１１】
本発明に係る電池ボックス１は、図１乃至図２に示すように、有底筒状の乾電池用収納用の合成樹脂製のケース２と、このケース２の開口部２ａを閉蓋する合成樹脂製の蓋部材３と、前記ケース２の収納室２ｂに収納した複数個の乾電池４（市販品）を、その正・負極を互いに電気的に接続する金属製導電部材であるコンタクト５，６、同じく接続端子８，９とが設けられて成る。また、符号３ａ，５ａ，６ａ、１０，１４ａは、それぞれ、取り付け用のネジ部材を示している。更に、符号２ｄは、蓋取付け用ネジ孔、符号１２はシール用のゴムパッキン、符号１３は端子カバー、符号１４は結線用ブラケットをそれぞれ示している。
【００１２】
前記ケース２の底部２ｃから一体に起立成形された支持部７（７ａ，７ｂ）がある。この支持部７は、図１乃至図３に示すように、一対の凹溝の支持部７ａと、上下の凹溝７ｃ，７ｄによって段部ができている一対の支持部７ｂとでなる。この支持部７ｂにおいて、凹溝７ｃの方が凹溝７ｄよりも内側に突出している。その境目の段部である係合部７ｅで引っ掛けるようにして、後述の乾電池取出し部材１１が支持部７から抜け出すのを防止している。
【００１３】
また、前記一対の支持部７ａは、図３に示すように、収納室に収納された乾電池４の仕切りとなる隔壁２ｅ，２ｆとも一体に繋がっていて、この隔壁２ｅ，２ｆの端部に、前記支持部７ａを設けて、部品点数削減のために兼用している。
【００１４】
次に、図４に示すように、前記乾電池４の収納方向（例えば、上下方向）に沿って摺動自在にして支持されるとともに、前記収納室２ｂに収納された乾電池４の下面４ａ（図参照）に係合して当該乾電池４を上に持ち上げる取出し突起１１ａが棒状の本体部１１ｂにおける下部に設けられて成る、合成樹脂製の乾電池取出し部材１１が設けられている。
【００１５】
前記乾電池取出し部材１１の本体部１１ｂには、その側部から突出し収納室２ｂに収納された乾電池４の側壁に当接して押圧し、前記乾電池４のガタ止め作用する弾性片１１ｃが突設されている。
【００１６】
更に、前記乾電池取出し部材１１の下部には、前記支持部７における係合部７ｅに係合する抜け止め用の係止部１１ｄが設けられている。よって、この乾電池取出し部材１１は、ケース２の中央部にある支持部７に挿着されると、前記支持部材７で例えば上下方向にスライド自在に支持されるとともに、凹溝７ｄの上端位置を限界にして昇降することができる。
【００１７】
前記乾電池取出し部材１１の上部のツマミ部１１ｅは、外壁面が内側に曲面形成された凹壁によって構成されている。このようにすると、ここに、人の指（例えば、親指と人差し指）の腹を当てやすくなり、この乾電池取出し部材１１を持ち上げやすくなるものである。
【００１８】
このようにして形成された乾電池取出し部材１１を有する電池ボックス１は、例えば、図２に示す状態から、乾電池取出し部材１１を開口部２ａから支持部７に上から差し込んで嵌装させる。それにより、図６及び図７に示す状態になる。ケース２の収納部２ｂにて、支持部７が収納される乾電池４の中央部にできる空間部に納まっているので、乾電池取出し部材１１は、ケース２の大きさを変えることなく、装備されるものである。
【００１９】
そして、図７に示すように、前記乾電池取出し部材１１のツマミ部１１ｅを指で掴んで引き上げると、一対の支持部７ａ，７ｂに摺接してスライドし、係止部１１ｄが支持部７の係合部７ｅに衝突して停止する。
【００２０】
このような本発明の電池ボックス１に乾電池４を収納室２ｂに入れて、この乾電池４を取り出すときには、図８乃至図９に示すように、指でツマミ部１１ｅを掴み、上に引き上げる。乾電池取出し部材１１の取出し突起１１ａが前記乾電池４の下面４ａに係合し、これらの乾電池４を持ち上げる。その状態で、乾電池４を単独で取り出すものである。なお、図では、説明の便宜上、ケース２から上に乾電池４等が出た状態の様子にしているが、実際には、乾電池４の上部が、開口部２ａ位置から上に少し顔を出し、指で乾電池４の上部を容易に掴めるようになるものである。
【図面の簡単な説明】
【００２１】
【図１】本発明に係る電池ボックス１の分解斜視図である。
【図２】同本発明の電池ボックス１における、ケース２に乾電池取出し部材１１を装着する様子を示す斜視図である。
【図３】同ケース２の平面図（Ａ）と、Ａ−Ａ線に沿った断面図とである。
【図４】同本発明に係る電池ボックス１における乾電池取出し部材１１の斜視図である。
【図５】乾電池取出し部材１１の平面図（Ａ）、正面図（Ｂ）、側面図（Ｃ）、一部拡大詳細図（Ｄ）、Ｂ−Ｂ線に沿った断面図（Ｅ）、Ｃ−Ｃ線に沿った断面図（Ｆ）である。
【図６】Ｃ）である。  電池ボックス１の蓋部材３を除いた状態の斜視図（Ａ）、断面図（Ｂ）である。
【図７】電池ボックス１の蓋部材３を除いた状態で乾電池取出し部材１１を上に引き上げた様子を示す斜視図（Ａ）、断面図（Ｂ）である。
【図８】乾電池取出し部材１１で乾電池４を持ち上げる様子を示す、斜め上から見た斜視図である。
【図９】同乾電池取出し部材１１で乾電池４を持ち上げる様子を示す、斜め下から見た斜視図である。
【図１０】従来例に係る電池ボックス２０の使用状態における分解斜視図である。
【符号の説明】
【００２２】
１          電池ボックス、
２          ケース、                        ２ａ    
２ｂ        収納室、                        ２ｃ            底部、
２ｄ        ネジ孔、                        ２ｅ，２ｆ      隔壁、       
３          蓋部材、
３ａ，５ａ，６ａ、１０，１４ａ              ネジ部材、
４          乾電池、                        ４ａ            下面、
５          コンタクト、
６          コンタクト
７           支持部、
７ａ，７ｂ  支持部、                        ７ｃ，７ｄ      凹溝、
７ｅ        係合部、
８          接続端子、
９          接続端子、
１１        乾電池取出し部材、              １１ａ          取出し突起、
１１ｂ      本体部、                        １１ｃ          弾性片、
１１ｄ      係止部、                        １１ｅ          ツマミ部、 
１２        ゴムパッキン、
１３        端子カバー、
１４        ブラケット、
２０        従来の電池ボックス、
２１        ケース、
２１ａ      開口部、
２２        電池、
２３        蓋、
２４        磁石。
【図１】
2008293874.tif 000003
【図２】
2008293874.tif 000004
【図３】
2008293874.tif 000005
【図４】
2008293874.tif 000006
【図５】
2008293874.tif 000007
【図６】
2008293874.tif 000008
【図７】
2008293874.tif 000009
【図８】
2008293874.tif 000010
【図９】
2008293874.tif 000011
【図１０】
2008293874.tif 000012